(57)【要約】【課題】  記録再生装置に記録されている番組の再生を開始させてから正常な映像フォーマットで映像を表示するまでの時間を短縮することが可能なデジタル放送受信装置を提供する。【解決手段】  記録番組の再生開始指示を受けたら、記録再生装置３００の所定領域に予め記録されている記録番組に対応する映像フォーマット情報を先に取得し、この取得した映像フォーマット情報をモニタ８に設定してから、前記記録番組の再生を開始させる。【選択図】      図１
2009044294.tif 000002
【特許請求の範囲】
【請求項１】
映像フォーマット情報を含んで放送されるデジタル放送番組を受信し、この受信したデジタル放送番組を記録装置に記録させる機能を有するデジタル放送受信装置において、
デジタル放送波のうちの所望チャンネルを選局するとともに、この所望チャンネルに含まれる前記デジタル放送番組である受信番組を抽出する第１の抽出手段と、
前記受信番組から前記映像フォーマット情報を抽出する第２の抽出手段と、
前記受信番組と、この受信番組の映像フォーマット情報とを、前記記録装置に出力するとともに、前記受信番組は前記記録装置の番組記録領域に記録させ、前記映像フォーマット情報は前記番組記録領域以外の領域に前記受信番組と対応付けて記録させるように前記記録装置を制御する制御手段と、
を有することを特徴とするデジタル放送受信装置。
【請求項２】
記録再生装置に記録されている記録番組を本装置で再生する機能を有するデジタル放送受信装置において、
前記記録番組を、本装置へ出力させるように前記記録再生装置を制御する第１の制御手段と、
前記記録番組が記録されている番組記録領域以外の領域に、前記記録番組と対応付けて記録されている映像フォーマット情報を、本装置へ出力させるように前記記録再生装置を制御する第２の制御手段と、
入力される前記記録番組を再生して映像信号を生成し、この映像信号を表示装置に出力する再生手段と、
前記記録番組の再生開始指示を受けたら、前記第２の制御手段を用いて前記記録番組に対応する前記映像フォーマット情報を取得し、この取得した映像フォーマット情報を前記表示装置に設定し、その後、前記第２の制御手段を用いて前記記録番組の本装置への出力を開始させるとともに、前記再生手段を用いて前記記録番組の再生を開始させるように前記記録再生装置を制御する第３の制御手段と、
を有することを特徴とするデジタル放送受信装置。
【発明の詳細な説明】
【技術分野】
【０００１】
本発明は、デジタル放送受信装置に係り、特に、本装置で受信した番組を記録再生装置に記録させる機能、及び、記録再生装置に記録させた番組を本装置で再生する機能を有するデジタル放送受信装置に関する。
【背景技術】
【０００２】
現在の地上波デジタル放送や衛星デジタル放送では、送出される番組の表示形態として１０８０i，７２０ｐ，４８０ｐ,４８０iなど複数の映像フォーマットが許容されている。
また、それぞれの映像フォーマットにおいて、その表示画像の縦横比（以下アスペクト比と呼ぶ）についても、１６：９や ４：３といった複数の種類がある。そして、これら異なる映像フォーマット及びアスペクト比の組み合わせの番組が放送チャンネル毎及び時間毎に混在して放送されている。
【０００３】
そのため、これら異なる映像フォーマット及びアスペクト比の組み合わせで放送される番組を受信するデジタル放送受信装置は、これらの番組を正常に表示させるために、受信する番組毎にその番組の映像フォーマット及びアスペクト比情報を取得して、その番組を表示するモニタに設定しなければならない。
【０００４】
例えば、映像フォーマットが４８０ｉでアスペクト比が４：３の番組の場合は、モニタをＳＤシンク（４８０ｉで映像同期をとるモード）で画像が４：３になるように設定してこの番組を表示させる。また、映像フォーマットが１０８０ｉでアスペクト比が１６：９の番組の場合は、モニタをＨＤシンク（１０８０ｉで映像同期をとるモード）で画像が１６：９になるように設定してこの番組を表示させる。
【０００５】
なお、現在商品化されているモニタは、上記のような複数の異なる映像フォーマット及びアスペクト比に対応しているものがほとんどであり、本発明のデジタル放送受信装置はこのモニタを使用することを前提とする。
【０００６】
従来のデジタル放送受信装置では、現在選局して受信中の番組と選局後に受信する番組とで映像フォーマット情報及びアスペクト比情報が異なる場合、選局後に受信する番組のＭＰＥＧビデオストリームをデコードした後でないと、映像フォーマット情報及びアスペクト比情報が確定しないため、モニタへの映像フォーマット情報及びアスペクト比情報の設定が遅くなる。従って、設定した映像フォーマット情報及びアスペクト比情報でモニタが表示動作を開始してから映像同期が確立するまでの期間に表示映像に乱れが生じる。従って、選局開始から正しい映像が表示されるまでの時間が長くなるという問題があった。
【０００７】
そこで、上記問題を鑑み、本発明者は選局開始から正しい映像が表示されるまでの時間を短縮することが可能なデジタル放送受信機を開示した（特許文献１）。これは、選局対象チャンネルの番組の映像フォーマット情報及びアスペクト比情報をＳＩ情報から選局前に取得し、その映像フォーマット情報及びアスペクト比情報をモニタに設定してから選局を開始することで、選局開始から正常な映像フォーマット及びアスペクト比で番組の映像を表示するまでの時間を短縮するものである。
【特許文献１】特開２００７−１１０２９５号公報
【発明の開示】
【発明が解決しようとする課題】
【０００８】
ところで、現在のデジタル放送受信装置の多くは、ＩＥＥＥ１３９４等のデジタルインターフェースを介して記録再生装置と接続し、この記録再生装置に本装置で受信した番組を記録させるとともに、この記録させた番組を本装置で再生する機能（記録再生機能）を有している。
【０００９】
そして、この記録再生機能を有したデジタル放送受信装置が記録再生装置に記録させた番組を再生する際における、再生開始から正常な映像フォーマット及びアスペクト比で映像がモニタに表示されるまでの時間に関しても、出来る限り短縮されることが望ましい。
【００１０】
しかしながら、従来例や特許文献１に開示した技術においては、この記録再生機能に関しては考慮していない。
従って、記録再生装置に記録させた番組を本装置で再生する際における、再生開始から正常な映像フォーマット及びアスペクト比で映像がモニタに表示されるまでの時間は、依然として長いという課題があった。
【００１１】
本発明は上記課題を解決するためになされたものであり、その目的は、記録再生装置に記録されている番組の再生を開始させてから正常な映像フォーマット及びアスペクト比で映像を表示するまでの時間を短縮できるデジタル放送受信装置を提供することを目的とする。
【課題を解決するための手段】
【００１２】
上記課題を解決するために本発明は以下の装置を提供するものである。
（１）映像フォーマット情報を含んで放送されるデジタル放送番組を受信し、この受信したデジタル放送番組を記録装置に記録させる機能を有するデジタル放送受信装置において、
デジタル放送波のうちの所望チャンネルを選局するとともに、この所望チャンネルに含まれる前記デジタル放送番組である受信番組を抽出する第１の抽出手段（２，３，６）と、
前記受信番組から前記映像フォーマット情報を抽出する第２の抽出手段（４，５）と、
前記受信番組と、この受信番組の映像フォーマット情報とを、前記記録装置に出力するとともに、前記受信番組は前記記録装置の番組記録領域に記録させ、前記映像フォーマット情報は前記番組記録領域以外の領域に前記受信番組と対応付けて記録させるように前記記録装置を制御する制御手段（７）と、
を有することを特徴とするデジタル放送受信装置。
（２）記録再生装置に記録されている記録番組を本装置で再生する機能を有するデジタル放送受信装置において、
前記記録番組を、本装置へ出力させるように前記記録再生装置を制御する第１の制御手段（７）と、
前記記録番組が記録されている番組記録領域以外の領域に、前記記録番組と対応付けて記録されている映像フォーマット情報を、本装置へ出力させるように前記記録再生装置を制御する第２の制御手段（７）と、
入力される前記記録番組を再生して映像信号を生成し、この映像信号を表示装置に出力する再生手段と（３，４，７）、
前記記録番組の再生開始指示を受けたら、前記第２の制御手段を用いて前記記録番組に対応する前記映像フォーマット情報を取得し、この取得した映像フォーマット情報を前記表示装置に設定し、その後、前記第２の制御手段を用いて前記記録番組の本装置への出力を開始させるとともに、前記再生手段を用いて前記記録番組の再生を開始させるように前記記録再生装置を制御する第３の制御手段（１，７）と、
を有することを特徴とするデジタル放送受信装置。
【発明の効果】
【００１３】
本発明によれば、記録再生装置に記録されている番組の再生を開始させてから正常な映像フォーマット及びアスペクト比で映像を表示するまでの時間を短縮することが可能となる。
【発明を実施するための最良の形態】
【００１４】
《従来例》
本発明のデジタル放送受信装置の一実施例を詳細に説明する前に、まず、記録再生機能を備えた従来のデジタル放送受信装置について説明する。
［従来装置の全体構成］
図３は、この従来のデジタル放送受信装置の構成図である。
従来のデジタル放送受信装置１０１は、アンテナ２００、及び記録再生装置３００と接続されている。
【００１５】
アンテナ２００は、放送波を受信して、この受信した放送波をデジタル放送受信装置１０１へ送信する。
デジタル放送受信装置１０１内の全体制御部１は、本装置内の各部と接続されており、各部を適宜制御して、選局を始めとする各種動作を実現する。
【００１６】
ＮＩＭ（Network Interface Module）２は、アンテナ２００から送信される放送波のうち後述する選局処理部６によって設定される所定周波数の放送波に選局し、復調して、その復調した復調信号に含まれる少なくとも1つ以上のＭＰＥＧ−ＴＳ（Transport Stream）を抽出する。
【００１７】
ＴＳデコーダ３は、ＮＩＭ２で抽出された少なくとも1つ以上のＭＰＥＧ−ＴＳから、選局処理部６によって設定される所定チャンネルの番組のＭＰＥＧ−ＴＳのみを抽出するとともに、その抽出したＭＰＥＧ−ＴＳを、ＭＰＥＧビデオストリーム、ＭＰＥＧオーディオストリーム、及びＰＳＩ（Program Specification Information）/ＳＩ（Service Information）などの付加情報データに分離する。
【００１８】
また、ＴＳデコーダ３は、記録再生装置３００へ上記所定チャンネルの番組を記録する場合は、上記で分離した各種ストリーム及びデータから、所定のストリーム及びデータを選択し、これら選択した各種ストリーム及びデータを基に、記録再生装置３００にて記録再生を行なうために規定されているストリームフォーマットであるパーシャルＴＳを生成し、後述するデジタルＩＦ制御部７へ供給する。更に、記録再生装置３００に記録した番組のパーシャルＴＳを再生する場合は、デジタルＩＦ制御部７を介して入力されるパーシャルＴＳに含まれるＭＰＥＧビデオストリーム、ＭＰＥＧオーディオストリーム、及びＰＳＩ/ＳＩなどの付加情報データを抽出する。
【００１９】
ＭＰＥＧビデオデコーダ４は、ＴＳデコーダ３によって分離されたＭＰＥＧビデオストリームを映像信号にデコードしてモニタ８に出力する。また同時にＭＰＥＧビデオストリームからシーケンスヘッダ情報を抽出する。
【００２０】
映像表示情報解析部５は、ＭＰＥＧビデオデコーダ４が抽出したシーケンスヘッダ情報を取得する。そしてこのシーケンスヘッダ情報に含まれている映像情報から映像フォーマット及びアスペクト比情報を抽出して、この抽出した映像フォーマット及びアスペクト比情報をモニタ８に設定する。
【００２１】
選局処理部６は、全体制御部１から選局指示を受けたならば、その選局指示された選局対象チャンネルが存在する放送波の放送周波数をＮＩＭ２に設定し、選局対象チャンネルのチャンネル情報をＴＳデコーダ３に設定する。
【００２２】
デジタルＩＦ制御部７は、受信した番組を記録再生装置３００へ記録する場合（番組記録時）は、ＴＳデコーダ３から供給されるこの番組のパーシャルＴＳを、汎用デジタルインターフェースフォーマットのデジタルストリームに変換し、記録再生装置３００へ出力する。また、記録再生装置３００に記録した番組を、本装置で再生する場合（番組再生時）は、記録再生装置３００から入力されるデジタルストリームからこの番組のパーシャルＴＳを抽出し、ＴＳデコーダ３へ供給する。
【００２３】
モニタ８は、映像表示情報解析部５によって設定される映像フォーマット及びアスペクト比情報に従ってＭＰＥＧビデオデコーダ４から入力される映像信号を表示する。
［従来装置の動作フロー］
次に、この従来のデジタル放送受信装置１０１で実行される、記録再生装置３００への番組の記録処理、及び、その記録した番組の再生処理の一連の流れについて図４のフローチャートと図３の構成図を用いて説明する。
【００２４】
なお、以降の説明において、特に記述がない限りはその動作の主体は全体制御部１である。
まず記録処理の流れを説明する。
【００２５】
＜ステップＳ４０１＞
番組の記録開始の指示を受けたら、その番組の存在するチャンネル（選局対象チャンネル）への選局を行うよう選局処理部６へ指示する。選局処理部６は、この選局指示を受けたら、ＮＩＭ２へ、選局対象チャンネルが存在する放送波の放送周波数を設定すると共に、ＴＳデコーダ３へ、選局対象チャンネルを設定する。そして、それぞれの処理を実行させ、選局対象チャンネルのＭＰＥＧ−ＴＳを抽出するとともに、その抽出したＭＰＥＧ−ＴＳを、ＭＰＥＧビデオストリーム、ＭＰＥＧオーディオストリーム、及びＰＳＩ/ＳＩなどの付加情報データに分離する。
【００２６】
＜ステップＳ４０２＞
ＴＳデコーダ３は、次に、ステップＳ４０１で分離したＭＰＥＧビデオストリーム、ＭＰＥＧオーディオストリーム、及びＰＳＩ/ＳＩなどの付加情報データを基にパーシャルＴＳを生成し、デジタルＩＦ部７へ出力する。
【００２７】
デジタルＩＦ制御部７は、入力されるパーシャルＴＳを、汎用デジタルインターフェースフォーマットのデジタルストリームに変換し、記録再生装置３００へ出力するとともに、このデジタルストリームで規定されている制御信号を用いて、記録再生装置３００に対して、記録動作を開始するように指示する。
【００２８】
以上の流れで、所定番組の記録再生装置への記録処理を実行する。
次に再生処理の流れを説明する
＜ステップＳ４１１＞
記録再生装置３００にパーシャルＴＳとして記録されている番組の再生開始の指示を受けたら、記録再生装置３００の再生を開始させるようデジタルＩＦ制御部７へ指示する。デジタルＩＦ制御部７は、この再生指示を受けたら、記録再生装置３００に対して、デジタルストリームで規定されている所定の制御信号を用いて、記録されているパーシャルＴＳを再生し出力するよう指示する。
【００２９】
デジタルＩＦ制御部７は、記録再生装置３００から入力されるデジタルストリームからパーシャルＴＳを抽出し、ＴＳデコーダ３へ供給する。
＜ステップＳ４１２＞
ＴＳデコーダ３は、デジタルＩＦ制御部７から供給されるパーシャルＴＳからＭＰＥＧビデオストリームを抽出し、ＭＰＥＧビデオデコーダ４へ供給する。ＭＰＥＧビデオデコーダ４は、供給されるＭＰＥＧビデオストリームのデコード処理を開始する。そしてデコードした映像信号をモニタ８へ出力する。また同時にＭＰＥＧビデオストリームの中のシーケンスヘッダ情報を抽出して映像表示情報解析部５へ出力する。
【００３０】
＜ステップＳ４１３＞
映像表示情報解析部５は入力されるシーケンスヘッダ情報に記述されている映像情報を解析し、映像フォーマット及びアスペクト比情報を抽出する。
【００３１】
＜ステップＳ４１４＞
現映像表示情報解析部５は、ステップＳ４１３で抽出した映像フォーマット及びアスペクト比情報が現在モニタ８に設定している映像フォーマット及びアスペクト比情報とそれぞれ値が同じであるか否かを調べる。そしてその値が異なっていると判断した場合は処理をステップＳ４１５へ移行し、値が同じであると判断した場合は処理をステップＳ４１６へ移行する。
【００３２】
＜ステップＳ４１５＞
ステップＳ４１４で抽出した映像フォーマット及びアスペクト比情報をモニタ８に設定する。
【００３３】
＜ステップＳ４１６＞
ステップＳ４１５から処理が移行した場合は、モニタ８は設定された映像フォーマット及びアスペクト比情報に設定を変更した後に、ＭＰＥＧビデオデコーダ４から入力される映像信号を表示する。またステップＳ４１４から移行した場合は、モニタ８は映像フォーマット及びアスペクト比情報を変更せずに、ＭＰＥＧビデオデコーダ４から入力される映像信号を表示する。
【００３４】
上記説明のように、従来のデジタル放送受信装置１０１では、記録再生装置３００に記録された番組を再生する場合、その番組のＭＰＥＧビデオストリームをデコードし、そのＭＰＥＧビデオストリームのシーケンスヘッダに記述されている映像情報から映像フォーマット及びアスペクト比の情報を取得する。そして、この取得した映像フォーマット及びアスペクト比の情報が、現在選局し表示しているチャンネルの番組の映像フォーマット及びアスペクト比の情報と異なっている場合、取得した映像フォーマット及びアスペクト比の情報をモニタに設定する構成となっている。
【００３５】
従って、現在選局し表示しているチャンネルの番組の映像信号と、記録再生装置３００から再生された番組の映像信号とで、映像フォーマット及びアスペクト比情報が異なる場合、再生された番組の映像信号であるＭＰＥＧビデオストリームをデコードした後でないと、映像フォーマット及びアスペクト比情報が確定しないため、モニタ８への映像フォーマット及びアスペクト比情報の設定が遅くなる。従って、設定した映像フォーマット及びアスペクト比情報でモニタ８が表示動作を開始してから映像同期が確立するまでの期間に表示映像に乱れが生じる。従って、記録再生装置に記録されている番組の再生を開始させてから正しい映像が表示されるまでの時間が長くなるという課題があった。
《実施例》
以下に、上記課題を解決する本発明のデジタル放送受信装置の一実施例を詳細に説明する。
［全体構成］
図１は、本発明のデジタル放送受信装置の一実施例の構成図である。
【００３６】
なお、図３で示す従来のデジタル放送受信機とほぼ同じ機能を有するブロックには同じ符号を付している。
デジタル放送受信装置１００は、アンテナ２００、及び記録再生装置３００と接続されている。
【００３７】
アンテナ２００は、放送波を受信して、この受信した放送波をデジタル放送受信装置１００へ送信する。
デジタル放送受信装置１００内の全体制御部１は、本装置内の各部と接続されており、各部を適宜制御して、選局を始めとする各種動作を実現する。
【００３８】
ＮＩＭ２は、アンテナ２００から送信される放送波のうち、後述する選局処理部６によって設定される所定周波数の放送波に選局し、復調して、その復調した復調信号に含まれる少なくとも1つ以上のＭＰＥＧ−ＴＳを抽出する。
【００３９】
ＴＳデコーダ３は、ＮＩＭ２で抽出された少なくとも1つ以上のＭＰＥＧ−ＴＳから、選局処理部６によって設定される所定チャンネルの番組のＭＰＥＧ−ＴＳのみを抽出するとともに、その抽出したＭＰＥＧ−ＴＳを、ＭＰＥＧビデオストリーム、ＭＰＥＧオーディオストリーム、及びＰＳＩ/ＳＩなどの付加情報データに分離する。
【００４０】
また、ＴＳデコーダ３は、記録再生装置３００へ上記所定チャンネルの番組を記録する場合は、上記で分離した各種ストリーム及びデータから、所定のストリーム及びデータを選択し、これら選択した各種ストリーム及びデータを基に、記録再生装置３００にて記録再生を行なうために規定されているストリームフォーマットであるパーシャルＴＳを生成し、後述するデジタルＩＦ制御部７へ供給する。更に、記録再生装置３００に記録した番組のパーシャルＴＳを再生する場合は、デジタルＩＦ制御部７を介して入力されるパーシャルＴＳに含まれるＭＰＥＧビデオストリーム、ＭＰＥＧオーディオストリーム、及びＰＳＩ/ＳＩなどの付加情報データを抽出する。
【００４１】
なお、ＭＰＥＧオーディオに関しては本発明とは関係がないので以後の説明は省く。
ＭＰＥＧビデオデコーダ４は、ＴＳデコーダ３によって分離されたＭＰＥＧビデオストリームを映像信号にデコードしてモニタ８に出力する。また同時にＭＰＥＧビデオストリームからシーケンスヘッダ情報を抽出する。
【００４２】
映像表示情報解析部５は、ＭＰＥＧビデオデコーダ４が抽出したシーケンスヘッダ情報を取得する。そして、このシーケンスヘッダ情報に含まれている映像情報から映像フォーマット及びアスペクト比情報を抽出して、この抽出した映像フォーマット及びアスペクト比情報をモニタ８に設定する。
【００４３】
なお、本説明では、モニタ８に設定するのは、映像フォーマット及びアスペクト比情報としているが、モニタ８の種類によっては映像フォーマット情報のみ設定すれば良いものもあり、この場合は、映像フォーマット情報のみ設定すれば良い。
【００４４】
また、記録再生装置３００へ上記所定チャンネルの番組を記録する場合は、上記で抽出した映像フォーマット及びアスペクト比情報をデジタルＩＦ制御部７へ供給する。
選局処理部６は、全体制御部１から選局指示を受けたならば、その選局指示された選局対象チャンネルが存在する放送波の放送周波数をＮＩＭ２に設定し、選局対象チャンネルのチャンネル情報をＴＳデコーダ３に設定する。
【００４５】
デジタルＩＦ制御部７は、受信した番組を記録再生装置３００へ記録する場合（番組記録時）は、ＴＳデコーダ３から供給されるこの番組のパーシャルＴＳを、汎用デジタルインターフェースフォーマットのデジタルストリームに変換し、記録再生装置３００へ出力する。また、記録再生装置３００に記録した番組を、本装置で再生する場合（番組再生時）は、記録再生装置３００から入力されるデジタルストリームからこの番組のパーシャルＴＳを抽出し、ＴＳデコーダ３へ供給する。
【００４６】
汎用デジタルインターフェースフォーマットとしては、例えばＩＥＥＥ１３９４などを用いる。ＩＥＥＥ１３９４は、時間にとらわれず非同期でデータ転送を行なう非同期（Asynchronous）転送モードと、所定の時間（例えば１２５マイクロ秒）内にデータ転送することを保証する同期（Isochronous）転送モードの２種類のデータ転送モードを備えている。そして、この２つのモードは、時分割によってほぼ同時期に使用することが可能である。このうちの、同期転送モードを用いて、パーシャルＴＳの入出力を実現する。
【００４７】
デジタルＩＦ制御部７は、更に、番組記録時は、映像表示情報解析部５から供給される映像フォーマット及びアスペクト比情報を、記録再生装置３００で扱うことが可能なフォーマットのデータ（番組関連データ）の所定エリアに設定して、記録再生装置３００へ出力し記録させる。また、番組再生時は、この記録させた番組関連データを、対応する番組のパーシャルＴＳを再生させる前に、再生させて読み込む。そして、この読み込んだ番組関連データから、再生対象の番組に対応する映像フォーマット及びアスペクト比情報を取得し、この取得した映像フォーマット及びアスペクト比情報をモニタ８に設定する。その後、この設定した映像フォーマット及びアスペクト比情報に対応する番組のパーシャルＴＳを再生する。
【００４８】
こうすることにより、再生対象の番組のパーシャルＴＳを再生する前に、この番組の映像フォーマット及びアスペクト比情報をモニタ８に設定できるため、記録再生装置３００に記録されている番組の再生を開始させてから正常な映像フォーマット及びアスペクト比で番組の映像を表示するまでの時間を短縮できる。
【００４９】
この番組関連データの入出力は、ＩＥＥＥ１３９４の場合は、上記した非同期転送モードを用いて実現する。なお、記録再生装置３００に対して、番組の記録開始を指示する記録開始指示コマンドや番組の再生開始を指示する再生開始指示コマンドなどの各種制御コマンドも、この非同期転送モードで記録再生装置３００に供給する。
【００５０】
モニタ８は、映像表示情報解析部５、またはデジタルＩＦ制御部７によって設定される映像フォーマット及びアスペクト比情報に従ってＭＰＥＧビデオデコーダ４から入力される映像信号を表示する
ここで、上記した番組関連データの内容について詳細に説明する。
【００５１】
記録再生装置３００は、パーシャルＴＳを記録する番組記録領域とは別に、この番組関連データを記録する番組情報記録領域を有している。
図５は、この番組関連データの構成例を示す図である。
【００５２】
図５では、番組関連データ全体をroot contents list５００と呼ぶ。そして、このroot contents list５００にはobject entry５１０と呼ぶ領域が１つ以上含まれている。このobject entry５１０のそれぞれが、記録再生装置３００に記録されているパーシャルＴＳの１単位（オブジェクト）と対応付けられている。通常の場合、１回の記録動作において記録されたパーシャルＴＳが１つオブジェクトとなる。１回の記録動作では、１つの番組を記録する場合が多いので、通常１つのオブジェクトは１つの番組である。従って、object entry５１０は、記録されている番組毎に１つずつ存在することになる。なお、１回の記録動作において、連続する複数の番組を記録したような場合は、１つのオブジェクトに複数の番組が存在することもありえるが、これはまれなケースであるので、以降の説明は、１つのオブジェクトは１つの番組であるとして説明する。
【００５３】
更にobject entry５１０には、複数のinfo block５２０が含まれている。このinfo block５２０は、複数の種類があり、object entry５１０に対応する番組に関する情報が、それぞれの情報の種類毎に１つのinfo block５２０の中にまとめて設定される。そのinfo block５２０の１種類として、Program Attributes info block５３０がある。このprogram attributes info block５３０には、object entry５１０に対応する番組に関する属性情報が含まれている。属性情報とは、番組名（service name５５０）、番組が放送された日時（program starting data & time５６０）、視聴制限年齢（parental rating５７０)等の情報であり、それらの中の番組モード（program modes５４０）に、映像表示情報解析部５から供給される映像フォーマット及びアスペクト比情報を設定する。具体的には、このprogram modes５４０の下位４ビットのリザーブ領域を利用して、この領域に設定する。なお、これは一例であり、program modes５４０に設定するのではなく、映像フォーマット及びアスペクト比情報を設定するための新たな種類のinfo block５２０を新設して、これに設定するようにしても良い。
【００５４】
このroot contents list５００は、番組記録領域に記録されている番組とは独立して再生可能な情報である。従って、番組再生時は、まずこのroot contents list５００を再生して読み込み、このroot contents list５００から再生対象の番組に対応するobject entry５１０を特定する。そして、この特定したobject entry５１０内のProgram Attributes info block５３０から、映像フォーマット及びアスペクト比情報を取得し、モニタ８に設定する。
【００５５】
また、番組記録時は、一旦root contents list５００を再生して読み込む。そして、この読み込んだroot contents list５００に、新たなobject entry５１０を追加し、この追加したobject entry５１０内のProgram Attributes info block５３０に、映像表示情報解析部５から供給される映像フォーマット及びアスペクト比情報を設定する。その後、この新たなobject entry５１０が追加されたroot contents list５００を記録再生装置３００に書き戻す。
［実施例の動作フロー］
次に、本実施例のデジタル放送受信装置１００で実行される、記録再生装置３００への番組の記録処理、及び、その記録した番組の再生処理の一連の流れについて図２のフローチャートと図１の構成図を用いて説明する。
【００５６】
なお、以降の説明において、特に記述がない限りはその動作の主体は全体制御部１である。
まず記録処理の流れを説明する。
【００５７】
＜ステップＳ２０１＞
番組の記録開始の指示を受けたら、その番組の存在するチャンネル（選局対象チャンネル）への選局を行うよう選局処理部６へ指示する。選局処理部６は、この選局指示を受けたら、ＮＩＭ２へ、選局対象チャンネルが存在する放送波の放送周波数を設定すると共に、ＴＳデコーダ３へ、選局対象チャンネルを設定する。そして、それぞれの処理を実行させ、選局対象チャンネルのＭＰＥＧ−ＴＳを抽出するとともに、その抽出したＭＰＥＧ−ＴＳを、ＭＰＥＧビデオストリーム、ＭＰＥＧオーディオストリーム、及びＰＳＩ/ＳＩなどの付加情報データに分離する。
【００５８】
＜ステップＳ２０２＞
ＴＳデコーダ３は、次に、ステップＳ４０１で分離したＭＰＥＧビデオストリーム、ＭＰＥＧオーディオストリーム、及びＰＳＩ/ＳＩなどの付加情報データを基にパーシャルＴＳを生成し、デジタルＩＦ部７へ出力する。
【００５９】
デジタルＩＦ制御部７は、入力されるパーシャルＴＳを、汎用デジタルインターフェースフォーマットのデジタルストリームに変換し、記録再生装置３００へ出力するとともに、このデジタルストリームで規定されている制御信号を用いて、記録再生装置３００に対して、記録動作を開始するように指示する。
【００６０】
＜ステップＳ２０３＞
ＭＰＥＧビデオデコーダ４は、ＴＳデコーダ３から供給されるＭＰＥＧビデオストリームからシーケンスヘッダを抽出し、映像表示情報解析部５へ供給する。更に、映像表示情報解析部５は、供給されたシーケンスヘッダから、映像フォーマット及びアスペクト比情報を抽出しデジタルＩＦ制御部７へ供給する。
【００６１】
＜ステップＳ２０４＞
デジタルＩＦ制御部７は、予め記録再生装置３００から読み込んでおいた番組関連データに、映像表示情報解析部５から供給された映像フォーマット及びアスペクト比情報を、今回記録する番組に対応付けて追加設定して、記録再生装置３００へ出力し記録させる。
【００６２】
以上の流れで、所定番組の記録再生装置への記録処理を実行する。
次に再生処理の流れを説明する
＜ステップＳ２１１＞
記録再生装置３００にパーシャルＴＳとして記録されている番組の再生開始の指示を受けたら、記録再生装置３００から番組関連データを読みむようデジタルＩＦ制御部７へ指示する。デジタルＩＦ制御部７は、この番組関連データの読み込み指示を受けたら、記録再生装置３００に対して、デジタルストリームで規定されている所定の制御信号を用いて、番組情報記録領域に記録されている番組関連データを再生し出力するよう指示し、この番組関連データを取得する。
【００６３】
＜ステップＳ２１２＞
ステップＳ２１１で取得した番組関連データから、再生対象の番組の映像フォーマット及びアスペクト比情報を抽出する。
【００６４】
そして、この抽出した映像フォーマット及びアスペクト比情報が、現在モニタ８に設定している映像フォーマット及びアスペクト比情報とそれぞれ値が同じであるか否かを調べる。そしてその値が異なっていると判断した場合は処理をステップＳ２１３へ移行し、値が同じであると判断した場合は処理をステップＳ２１４へ移行する。
＜ステップＳ２１３＞
ステップＳ２１２で抽出した映像フォーマット及びアスペクト比情報をモニタ８に設定する。
＜ステップＳ２１４＞
デジタルＩＦ制御部７は、記録再生装置３００に対して、デジタルストリームで規定されている所定の制御信号を用いて、記録されているパーシャルＴＳを再生し出力するよう指示する。
【００６５】
デジタルＩＦ制御部７は、記録再生装置３００から入力されるデジタルストリームからパーシャルＴＳを抽出し、ＴＳデコーダ３へ供給する。
＜ステップＳ２１５＞
ＴＳデコーダ３は、デジタルＩＦ制御部７から供給されるパーシャルＴＳからＭＰＥＧビデオストリームを抽出し、ＭＰＥＧビデオデコーダ４へ供給する。ＭＰＥＧビデオデコーダ４は、供給されるＭＰＥＧビデオストリームのデコード処理を開始する。そしてデコードした映像信号をモニタ８へ出力する。また同時にＭＰＥＧビデオストリームの中のシーケンスヘッダ情報を抽出して映像表示情報解析部５へ出力する。
＜ステップＳ２１６＞
映像表示情報解析部５は入力されるシーケンスヘッダ情報に記述されている映像情報を解析し、映像フォーマット及びアスペクト比情報を抽出する。
＜ステップＳ２１７＞
現映像表示情報解析部５は、ステップＳ２１６で抽出した映像フォーマット及びアスペクト比情報が現在モニタ８に設定している映像フォーマット及びアスペクト比情報とそれぞれ値が同じであるか否かを調べる。そしてその値が異なっていると判断した場合は処理をステップＳ２１８へ移行し、値が同じであると判断した場合は処理をステップＳ２１９へ移行する。
【００６６】
＜ステップＳ２１８＞
ステップＳ２１６で抽出した映像フォーマット及びアスペクト比情報をモニタ８に設定する。
【００６７】
＜ステップＳ２１９＞
ステップＳ２１８から処理が移行した場合は、モニタ８は設定された映像フォーマット及びアスペクト比情報に設定を変更した後に、ＭＰＥＧビデオデコーダ４から入力される映像信号を表示する。またステップＳ２１７から移行した場合は、映像フォーマット及びアスペクト比情報を変更せずにＭＰＥＧビデオデコーダ４から入力される映像信号を表示する。
【００６８】
上記のように、予め記録再生装置３００の番組情報記録領域に記録させている番組関連データから、再生対象の番組の映像フォーマット及びアスペクト比情報を取得し、モニタに８に設定した後に、実際の再生対象の番組の再生を開始させるので、番組の再生を開始させてから正常な映像フォーマット及びアスペクト比で番組の映像を表示するまでの時間を短縮できる。
【００６９】
なお、本発明は、上記した装置の機能をコンピュータに実現させるためのプログラムを含むものである。これらのプログラムは、記録媒体から読みとられてコンピュータに取り込まれてもよいし、通信ネットワークを介して伝送されてコンピュータに取り込まれてもよい。
【図面の簡単な説明】
【００７０】
【図１】本発明の一実施例を示す構成図である。
【図２】本発明の一実施例の処理手順を示すフローチャートである。
【図３】従来例を示す構成図である。
【図４】従来例における処理手順を示すフローチャートである。
【図５】番組関連データの構成例を示す図である。
【符号の説明】
【００７１】
１  全体制御部
２  ＮＩＭ
３  ＴＳデコーダ
４  ＭＰＥＧビデオデコーダ
５  映像表示情報解析部
６  選局処理部
７  デジタルＩＦ制御部
８  モニタ
１００  本発明の一実施例のデジタル放送受信機
１０１  従来のデジタル放送受信機
２００  アンテナ
３００  記録再生装置
【図１】
2009044294.tif 000003
【図２】
2009044294.tif 000004
【図３】
2009044294.tif 000005
【図４】
2009044294.tif 000006
【図５】
2009044294.tif 000007